(57)【特許請求の範囲】
【請求項１】
上面に設けられた貫通孔と通じた内部空間が設けられた大便器に設置されるトイレ装置であって、
前記大便器に対して固定自在な固定部材と、
前記固定部材の外周を覆うパッキンと、
前記固定部材の上方に設置されるトイレ装置本体と、を備え、
前記固定部材には、前記貫通孔と連通し、前記トイレ装置本体に接続された給水ホース又は給電コードが挿通自在な挿通部が設けられ、
前記パッキンは、前記挿通部を囲むことを特徴とするトイレ装置。
【請求項２】
前記固定部材は、第１の方向を長手とする板形状を呈し、前記大便器に対して固定される固定部を有しており、
前記第１の方向において、前記挿通部は、前記固定部より、外側に位置していることを特徴とする請求項１に記載のトイレ装置。
【請求項３】
請求項１又は２に記載のトイレ装置、及び、前記大便器を備えた大便器ユニットであって、
前記挿通部は、前記固定部材に設けられた挿通孔であり、
前記貫通孔の内径は、前記挿通孔の内径より大きいことを特徴とする大便器ユニット。
【請求項４】
前記固定部材の下方に設けられ、前記挿通孔と連通する管部材をさらに備え、
前記貫通孔の内径は、前記管部材の外径より大きいことを特徴とする請求項３に記載の大便器ユニット。
【請求項５】
前記挿通孔の内径は、前記管部材の内径より小さいことを特徴とする請求項４に記載の大便器ユニット。
【発明の詳細な説明】
【技術分野】
【０００１】
本発明の態様は、トイレ装置、及び、大便器ユニットに関する。
【背景技術】
【０００２】
近年、トイレ装置、及び、大便器ユニットが普及している。
【０００３】
特許文献１では、洋式便器の上に着脱自在或いは着脱可能に載置された衛生洗浄便座が記載されている。この衛生洗浄便座には、配水ホース及び給電コードが接続されている。
【先行技術文献】
【特許文献】
【０００４】
【特許文献１】特開２００５−２９０９６７号公報
【発明の概要】
【発明が解決しようとする課題】
【０００５】
しかしながら、特許文献１に記載された衛生洗浄便座が載置された洋式便器において、配水ホース及び給電コードは、洋式便器の外部から、衛生洗浄便座に直接接続されている。即ち、配水ホース及び給電コードは、洋式便器の外部に、常に露出する。よって、衛生洗浄便座が載置された洋式便器の意匠性が悪いという問題がある。
【０００６】
一方、洋式便器の上面に貫通孔を設け、配水ホース及び給電コードを、貫通孔を通じて、衛生洗浄便座に接続させる方法も考えられる。しかし、洋式便器の上面に貫通孔を設けると、洋式便器の上面と衛生洗浄便座の下面との間の隙間から汚水が侵入した際に、汚水が貫通孔から洋式便器の内部に浸入してしまう恐れがある。洋式便器の内部は清掃性が悪いため、汚水が洋式便器の内部に浸入してしまうことで、悪臭が発生してしまうという問題がある。
【０００７】
本発明は、かかる課題の認識に基づいてなされたものであり、大便器の意匠性を向上させることができる、且つ、汚水が大便器の内部に浸入してしまうことで悪臭が発生してしまうことを抑制するトイレ装置、及び、大便器ユニットを提供することを目的とする。
【課題を解決するための手段】
【０００８】
第１の発明は、上面に設けられた貫通孔と通じた内部空間が設けられた大便器に設置されるトイレ装置であって、前記大便器に対して固定自在な固定部材と、前記固定部材の外周を覆うパッキンと、前記固定部材の上方に設置されるトイレ装置本体と、を備え、前記固定部材には、前記貫通孔と連通し、前記トイレ装置本体に接続された給水ホース又は給電コードが挿通自在な挿通部が設けられ、前記パッキンは、前記挿通部を囲むことを特徴とするトイレ装置である。  
このトイレ装置によれば、固定部材には、トイレ装置本体に接続された給水ホース又は給電コードが挿通自在な挿通部が設けられている。このことより、給水ホース又は給電コードは、挿通部及び大便器の貫通孔を通じて、大便器の内部に隠蔽される。よって、給水ホース又は給電コードが、大便器の外部に露出することを抑制できる。したがって、大便器の意匠性を向上させることができる。  
また、このトイレ装置によれば、固定部材の外周を覆うパッキンを備えている。このことより、汚水が貫通孔を通じて大便器の内部空間に浸入することを防ぐことができる。したがって、大便器の内部空間から悪臭が発生してしまうことを抑制することができる。
【０００９】
第２の発明は、第１の発明において、前記固定部材は、第１の方向を長手とする板形状を呈し、前記大便器に対して固定される固定部を有しており、前記第１の方向において、前記挿通部は、前記固定部より、外側に位置していることを特徴とするトイレ装置である。  
このトイレ装置によれば、板形状の第１の方向（長手の方向）において、挿通部は、大便器に対して固定される固定部より、外側に位置している。このことより、トイレ装置の施工時において、施工者が目視しやすい状態で、固定部材の上方にトイレ装置本体を設置することができる。即ち、大便器に対する施工性の高いトイレ装置本体を提供できる。
【００１０】
第３の発明は、第１又は２の発明のトイレ装置、及び、前記大便器を備えた大便器ユニットであって、前記挿通部は、前記固定部材に設けられた挿通孔であり、前記貫通孔の内径は、前記挿通孔の内径より大きいことを特徴とする大便器ユニットである。  
この大便器ユニットによれば、大便器の貫通孔の内径は、固定部材に設けられた挿通孔の内径より大きい。このことより、挿通孔を挿通した給水ホース又は給電コードを、容易に、貫通孔に挿入することができる。即ち、大便器に対する施工性の高いトイレ装置本体を提供できる。
【００１１】
第４の発明は、第３の発明において、前記固定部材の下方に設けられ、前記挿通孔と連通する管部材をさらに備え、前記貫通孔の内径は、前記管部材の外径より大きいことを特徴とする大便器ユニットである。  
この大便器ユニットによれば、貫通孔の内径は、固定部材の下方に設けられ、挿通孔と連通する管部材の外径より、大きい。このことより、管部材は、挿通孔を挿通した給水ホース又は給電コードを、貫通孔に誘導することができる。よって、施工者は、挿通孔を挿通した給水ホース又は給電コードを、容易に、貫通孔に挿入することができる。即ち、大便器に対する施工性の高いトイレ装置本体を提供できる。
【００１２】
第５の発明は、第４の発明において、前記挿通孔の内径は、前記管部材の内径より小さいことを特徴とする大便器ユニットである。  
この大便器ユニットによれば、挿通孔の内径は、管部材の内径より小さい。このことより、このことより、施工者は、挿通孔を挿通した給水ホース又は給電コードを、容易に、管部材に挿入することができる。即ち、大便器に対する施工性の高いトイレ装置本体を提供できる。
【発明の効果】
【００１３】
本発明の態様によれば、大便器の意匠性を向上させることができる、且つ、汚水が大便器の内部に浸入してしまうことで悪臭が発生してしまうことを抑制するトイレ装置、及び、大便器ユニットが提供される。
【図面の簡単な説明】
【００１４】
【図１】本発明の一実施形態に係る大便器ユニットが設置されたトイレルームを示す模式的斜視図である。
【図２】図１の大便器ユニットを示す模式的正面図である。
【図３】図１の大便器ユニットを示す模式的正面図である。
【図４】図１の大便器ユニットを示す模式的分解図である。
【図５】図４の固定部材及びパッキンを示す模式的斜視図である。
【図６】図４におけるトイレ装置本体を外した状態の大便器ユニットを示す模式的平面図である。
【図７】図６の大便器ユニットの、切断面Ａ−Ａにおける模式的断面図である。
【図８】本発明の他の実施形態に係る大便器ユニットが設置されたトイレルームを示す模式的斜視図である。
【発明を実施するための形態】
【００１５】
以下、本発明の実施の形態について図面を参照しつつ説明する。なお、各図面中、同様の構成要素には同一の符号を付して詳細な説明は適宜省略する。
【００１６】
（大便器ユニット１について）
図１は、本発明の一実施形態に係る大便器ユニットが設置されたトイレルームを示す模式的斜視図である。  
図２及び図３は、図１の大便器ユニットを示す模式的正面図である。    
まず、図１〜図３を用いて、本発明の一実施形態に係る大便器ユニット１について説明する。
【００１７】
図１及び図２に示すように、トイレルーム１００の床面１０１には、大便器ユニット１が設置されている。大便器ユニット１は、大便器２と、大便器２の上方に設けられたトイレ装置４と、を備えている。大便器２は、床置き式の水洗大便器であり、例えば陶器製である。トイレ装置４は、便座（図示せず）と、便蓋６と、便座及び便蓋６に接続されたトイレ装置本体８と、を有している。
【００１８】
トイレ装置本体８は、ケースプレート１０と、ケースカバー１２と、機能部１４と、を有する。ケースプレート１０及びケースカバー１２は、例えば樹脂製である。ケースプレート１０は、大便器２の正面（前方）からみて、大便器２に設けられたボウル部１６（図４に記載）より後方に載置されている。機能部１４は、例えば、使用者の局部を洗浄する衛生洗浄ノズルや、ボウル部１６内の臭いを取り除く脱臭装置を有する。ケースカバー１２は、機能部１４を覆うように、ケースプレート１０と固定される。
【００１９】
図３に示すように、トイレ装置本体８には、電源と接続された給電コード１８と、給水源と接続された給水ホース２０と、が接続されている。なお、給電コード１８及び給水ホース２０は、可撓性を有する。給電コード１８は、例えば機能部１４へ、電源から送られた電気を供給する。給水ホース２０は、例えば衛生洗浄ノズルへ、給水源から送られた水を供給する。
【００２０】
（固定部材及びパッキンについて）
図４は、図１の大便器ユニットを示す模式的分解図である。  
図５は、図４の固定部材及びパッキンを示す模式的斜視図である。  
図６は、図４におけるトイレ装置本体を外した状態の大便器ユニットを示す模式的平面図である。    
図７は、図６の大便器ユニットの、切断面Ａ−Ａにおける模式的断面図である。    
図４〜７を用いて、本発明の一実施形態に係るプレート（固定部材）２２及びパッキン２４について説明する。
【００２１】
図４に示すように、トイレ装置４は、例えば樹脂製のプレート（固定部材）２２を有する。プレート２２は、第１の方向を長手とする板形状を呈する。プレート２２は、例えば長方形形状である。第１の方向は、例えば上下方向（図１参照）および前後方向（図１参照）と直交する方向（左右方向）である。プレート２２には、第１固定孔（固定部）２６が設けられている。第１固定孔２６から、大便器２の上面に設けられた第２固定孔２７へボルト２８を挿入し、ナットで締結することで、プレート２２を大便器２に固定することができる。トイレ装置本体８を大便器２に設置する際には、まず、プレート２２を大便器２に固定させる。トイレ装置本体８に接続された給電コード１８及び給水ホース２０は、プレート２２に設けられた挿通孔（挿通部）３０に挿通する。
【００２２】
大便器２の上面には、貫通孔３２が設けられている。貫通孔３２は、ボウル部１６より後方側に設けられている。また、大便器２の内部には、ボウル部１６より後方側に、内部空間３４が設けられている。内部空間３４は、貫通孔３２と連続して形成されている。つまり、内部空間３４は、貫通孔３２と通ずる。さらに、大便器２の後方面には、後方孔３６が設けられている。後方孔３６は、内部空間３４と連続して形成されている。
【００２３】
トイレ装置本体８を大便器２に設置する際には、まず、プレート２２を大便器２に固定させる。そして、トイレ装置本体８に接続された給電コード１８及び給水ホース２０を、プレート２２に設けられた挿通孔３０に挿通させる。挿通孔３０を挿通した給電コード１８及び給水ホース２０は、貫通孔３２を通過する。貫通孔３２を通過した給電コード１８及び給水ホース２０は、内部空間３４に侵入する。内部空間３４に侵入した給電コード１８は、後方孔３６を通過し、電源に接続される。また、内部空間３４に侵入した給水ホース２０は、後方孔３６を通過し、給水源に接続される。これらのことより、給電コード１８及び給水ホース２０を、挿通孔３０及び大便器２の貫通孔３２を通じて、大便器２の内部に隠蔽することができる。よって、給電コード１８及び給水ホース２０が、大便器２の外部に露出することを抑制できる。したがって、大便器２の意匠性を向上させることができる。
【００２４】
その後、プレート２２の上方にトイレ装置本体８を載置させる。この際、ケースプレート１０に設けられたフック（図示せず）を、プレート２２の端部に設けられた切欠き部３８に、嵌合させる。このことより、容易に、トイレ装置本体８を、プレート２２に固定させることができる。
【００２５】
図５に示すように、トイレ装置４は、例えばゴムで成形されたパッキン２４を有している。パッキン２４は、プレート２２の下面（大便器２の上面に載置される面）の外周を覆っている。このことより、大便器２の上面とトイレ装置本体８との間に浸入した汚水が、貫通孔３２を通じて大便器２の内部空間３４に浸入してしまうことを防ぐことができる。よって、内部空間３４から悪臭が発生してしまうことを抑制することができる。
【００２６】
図６に示すように、プレート２２を大便器２へ設置した状態において、プレート２２は、プレート２２の挿通孔３０と大便器２の貫通孔３２とが連通するように、大便器２に固定される。  
プレート２２の長手方向において、プレート２２の挿通孔３０は、プレート２２の中心線Ｘより、例えば１５センチメートル（ｃｍ）以上、外側に設けられている。また、大便器２の貫通孔３２は、大便器２の中心線Ｙより、例えば１５ｃｍ以上、外側に設けられている。さらに、大便器２の内部空間３４は、大便器２の中心線Ｙより、外側に設けられている。なお、中心線Ｘと中心線Ｙが同位置になるように、プレート２２は大便器２に固定される。このことより、大便器２の排水トラップ（図示せず）が、大便器２の中心線Ｙ上に位置する場合でも、大便器２の内部に内部空間３４を大きく確保することができる。また、大便器２の排水トラップが、大便器２の中心線Ｙ上に位置する場合でも、給電コード１８及び給水ホース２０を、挿通孔３０及び大便器２の貫通孔３２を通じて、大便器２の内部に隠蔽することができる。
【００２７】
プレート２２の長手方向において、プレート２２の第１固定孔２６は、プレート２２の中心線Ｘより、例えば１０ｃｍ以上、外側に設けられている。また、大便器２の第２固定孔２７は、大便器２の中心線Ｙより、例えば１０ｃｍ以上、外側に設けられている。このことより、大便器２の排水トラップが、大便器２の中心線Ｙ上に位置する場合でも、第１固定孔２６から、大便器２の上面に設けられた第２固定孔２７へボルト２８を挿入し、ナットで締結することで、容易に、プレート２２を大便器２に固定することができる。
【００２８】
プレート２２の長手方向において、挿通孔３０は、第１固定孔２６より、外側に位置している。このことより、トイレ装置４の大便器２への施工時において、施工者が目視しやすい状態で、プレート２２の上方にトイレ装置本体８を設置することができる。即ち、大便器２に対する施工性の高いトイレ装置本体８を提供できる。また、施工者が目視しやすい状態で、プレート２２の上方にトイレ装置本体８を設置することができるため、誤って、給電コード１８又は給水ホース２０が大便器２とトイレ装置４との間に挟まってしまうことを抑制できる。
【００２９】
図７に示すように、トイレ装置４は、プレート２２の下方に管部材４０を有している。管部材４０は、円柱形状の筒体であり、樹脂製である。プレート２２の下端と管部材４０の上端とは、例えば接着剤にて接続されている。大便器２の貫通孔３２の内径Ａは、管部材４０の外径Ｂより大きい。そして、貫通孔３２には管部材４０が挿入される。このことより、管部材４０は、挿通孔３０を挿通した給水ホース２０又は給電コード１８を、貫通孔３２に誘導することができる。よって、施工者は、容易に、挿通孔３０を挿通した給水ホース２０又は給電コード１８を、貫通孔３２に挿入することができる。即ち、大便器２に対する施工性の高いトイレ装置本体８を提供できる。
【００３０】
大便器２の貫通孔３２の内径Ａは、挿通孔３０の内径Ｃより大きい。このことより、挿通孔３０を挿通した給水ホース２０又は給電コード１８を、容易に、貫通孔３２に挿入することができる。即ち、大便器２に対する施工性の高いトイレ装置本体８を提供できる。
【００３１】
また、挿通孔３０の内径Ｃは、管部材４０の内径Ｄより小さい。このことより、挿通孔３０を挿通した給水ホース２０又は給電コード１８を、容易に、管部材４０に挿入することができる。即ち、大便器２に対する施工性の高いトイレ装置本体８を提供できる。
【００３２】
以上のことより、本実施形態のトイレ装置４によれば、プレート２２には、トイレ装置本体８に接続された給水ホース２０又は給電コード１８が挿通自在な挿通孔３０が設けられている。このことより、給水ホース２０又は給電コード１８は、挿通孔３０及び大便器２の貫通孔３２を通じて、大便器２の内部に隠蔽される。よって、給水ホース２０又は給電コード１８が、大便器２の外部に露出することを抑制できる。したがって、大便器２の意匠性を向上させることができる。  
また、このトイレ装置４によれば、プレート２２の下面の外周を覆うパッキン２４を備えている。このことより、汚水が貫通孔３２を通じて大便器２の内部空間３４に浸入することを防ぐことができる。したがって、大便器２の内部空間３４から悪臭が発生してしまうことを抑制することができる。
【００３３】
（変形例について）
以上、本発明の一実施形態について説明した。しかし、本発明はこれらの記述に限定されるものではない。
【００３４】
図８は、本発明の他の実施形態に係る大便器ユニットが設置されたトイレルームを示す模式的斜視図である。  
本発明の一実施形態において、大便器２は床置き式の水洗大便器であったが、それに限らず、壁掛け式の水洗大便器であっても良い。即ち、図８のように、大便器ユニット１Ａは、トイレルーム１００の壁面１０２に設置されるものであっても良い。なお、大便器ユニット１Ａは、上述した大便器ユニット１と、同一の機能を有するものである。
【００３５】
本発明の一実施形態において、トイレ装置本体８には給電コード１８及び給水ホース２０の両方が接続するものであったが、本発明はそれに限らない。即ち、給電コード１８及び給水ホース２０のうち、何れか一方が接続されているものであっても良い。その場合、挿通孔３０、貫通孔３２、及び後方孔３６を挿通するのは、トイレ装置本体８に接続された給水ホース２０又は給電コード１８である。
【００３６】
本発明の一実施形態において、プレート２２は、例えば長方形形状としたが、それに限らず、例えば、円状形状であっても良い。ただし、プレート２２が正方形形状であった場合、プレート２２の「長手方向」とは、プレート２２の縦方向及び横方向のどちらであっても良い。
【００３７】
本発明の一実施形態において、挿通部は、孔形状の挿通孔３０としたが、それに限らず、例えば、切欠き形状の挿通切欠きであっても良い。
【００３８】
本発明の一実施形態において、プレート２２と管部材４０とは接着剤にて接続するものであったが、本発明はそれに限らない。即ち、例えば、プレート２２と管部材４０は螺合接続されても良いし、一体に成形されても良い。
【００３９】
前述の実施の形態に関して、当業者が適宜設計変更を加えたものも、本発明の特徴を備えている限り、本発明の範囲に包含される。例えば、大便器ユニット１などが備える各要素の形状、寸法、材質、配置などや大便器ユニット１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４０】
１、１Ａ 大便器ユニット、  ２ 大便器、  ４ トイレ装置、  ６ 便蓋、  ８ トイレ装置本体、  １０ ケースプレート、  １２ ケースカバー、  １４ 機能部、  １６ ボウル部、  １８ 給電コード、  ２０ 給水ホース、  ２２ プレート（固定部材）、  ２４ パッキン、  ２６ 第１固定孔（固定部）、  ２７ 第２固定孔、  ２８ ボルト、  ３０ 挿通孔、  ３２ 貫通孔、  ３４ 内部空間、  ３６ 後方孔、  ３８ 切欠き部、  １００ トイレルーム、  １０１ 床面、  １０２ 壁面
【図１】
0006425117.tif 000002
【図２】
0006425117.tif 000003
【図３】
0006425117.tif 000004
【図４】
0006425117.tif 000005
【図５】
0006425117.tif 000006
【図６】
0006425117.tif 000007
【図７】
0006425117.tif 000008
【図８】
0006425117.tif 000009